(57)【要約】
【課題】犬や猫などのペットに住み着いている蚤を、容易かつ確実に取り除くことのできる蚤取り器を提供する。
【解決手段】犬や猫などのペット１に住み着いている蚤３を取り除く器具であって、チューブ１１の先端部に蚤３を吸い込む吸込口１２を設けると共に、終端部に吸込んだ蚤３を集め、かつ集めたのみを廃棄すべく分離可能な溜め容器１３を設け、さらに前記終端部の近傍に連通孔１４を形成した吸取り部１０と、前記チューブ１１の連通孔１４に、蚤３が通過できない径のメッシュ網２１を介して下端開口部が連結され、手２で収縮された後の原形復帰力によって、前記吸取り部１０に蚤３を吸込むための負圧を供給するゴム製の中空吸引部２０と、で構成する。
【選択図】        図１
0003101191.tif 000002
【実用新案登録請求の範囲】
【請求項１】
犬や猫などのペット（１）に住み着いている蚤（３）を取り除く器具であって、チューブ（１１）の先端部に蚤を吸い込む吸込口（１２）を設けると共に、終端部に、吸込んだ蚤を集め、かつ集めたのみを廃棄すべく分離可能な溜め容器（１３）を設け、さらに前記終端部の近傍に連通孔（１４）を形成した吸取り部（１０）と、前記チューブの連通孔に、蚤が通過できない径のメッシュ網（２１）を介して下端開口部が連結され、手（２）で収縮された後の原形復帰力によって、前記吸取り部に蚤を吸込むための負圧を供給するゴム製の中空吸引部（２０）と、からなるペット用蚤取り器。
【考案の詳細な説明】
【技術分野】
【０００１】
本考案は、犬や猫などのペットに住み着く蚤を取り除くことのできる蚤取り器に関するものである。
【背景技術】
【０００２】
犬や猫などのペットには蚤が住み着きやすく、従来、このペットに住み着いている蚤を取り除くために様々な手段が考えられている。例えば、薬剤をペットに振りかける等がそれである。
【考案の開示】
【考案が解決しようとする課題】
【０００３】
しかし、これまでの蚤取り手段はいずれも満足できるものではなく、多くの飼い主にとっては有効な手段の出現が望まれていた。特に、ペットを室内で飼っている場合には、蚤が人間にも悪影響を与えるので深刻な問題となっている。
【０００４】
本考案はこうした問題に鑑み創案されたもので、犬や猫などのペットに住み着いている蚤を、容易かつ確実に取り除くことのできる蚤取り器を提供することを課題とする。
【課題を解決するための手段】
【０００５】
図１乃至図４を参照して説明する。本考案に係るペット用蚤取り器は、犬や猫などのペット１に住み着いている蚤３を取り除く器具であって、チューブ１１の先端部に蚤３を吸い込む吸込口１２を設けると共に、終端部に吸込んだ蚤３を集め、かつ集めたのみを廃棄すべく分離可能な溜め容器１３を設け、さらに前記終端部の近傍に連通孔１４を形成した吸取り部１０と、前記チューブ１１の連通孔１４に、蚤３が通過できない径のメッシュ網２１を介して下端開口部が連結され、手２で収縮された後の原形復帰力によって、前記吸取り部１０に蚤３を吸込むための負圧を供給するゴム製の中空吸引部２０と、からなるものである。
【考案の効果】
【０００６】
本考案に係るペット用蚤取り器は、犬や猫などのペット１に住み着いている蚤３を容易かつ確実に取除くことができる。すなわち、中空吸引部２０を手２で握って収縮させた状態でチューブ１１の吸引口をペット１の毛に当てた後、手２の握りを緩める。これによって、ゴム製である中空吸引部２０がその弾性復帰力によって原形に戻る際にチューブ１１内に負圧が発生し、吸引口から蚤３が外気と共に吸い込まれる。
【０００７】
吸い込まれた蚤３は、溜め容器１３に集められる。この際、連通孔１４には蚤３が通過できない径のメッシュ網２１が設けられているので、外気のみが中空吸引部２０に吸い込まれ、蚤３はその質量の慣性により、確実に溜め容器１３に集められる。こうした操作を繰り返すことによって、ペット１に住み着いている蚤３を容易に集めることができる。また、溜め容器１３は分離可能であるため、蚤３を集めた後に分離して、当該蚤３を容易に廃棄することができる。
【考案を実施するための最良の形態】
【０００８】
本考案に係るペット用蚤取り器の実施形態を、図１乃至図４に示す。これは、犬や猫などのペット１に住み着いている蚤３を取り除く器具であり、吸取り部１０と中空吸引部２０とから構成される。
【０００９】
吸取り部１０は、硬質合成樹脂製のチューブ１１の先端部に、蚤３を吸い込むφ２０ｍｍ程度の吸込口１２を設けると共に、終端部に吸込んだ蚤３を集める溜め容器１３を設けている。この溜め容器１３には、チューブ１１の周端開口部１１ａから吐き出される蚤３が突き当たって下方に落下するように傾斜壁部１３ｃを設けている。吸引口には、一旦吸い込んだ蚤３が逃げないように、また、吸込口１２が塞がることなく吸込気流が常に良好に発生するように、蚤３が通過できないメッシュ径を有するリング状の金属ネット１５を設けている（図では、作図の都合上、金属ネットの目を粗く画いているが、実際は細かい）。また、ネット１５の最外端には、変形し難いように太目の鋼線１５ａが配置してある。なお、この溜め容器１３は、その上半部１３ａと上半部１３ｂを螺合１３ｄなどによって着脱自在に気密に組付けるものであり、下半部１３ｂを上半部１３ａから分離できる構造としている。また、チューブ１１の終端部近傍には、連通孔１４を形成している。
【００１０】
なお、この溜め容器１３には水Ｗを充填している。また、チューブ１１の終端開口部１１ａは、溜め容器１３に集められた蚤３が逃げ難い径に設定すると良い。さらに、チューブ１１を補強筒１６内に収納すると、剛性が高まり、その取扱いを容易なものとすることができる。
【００１１】
中空吸引部２０は、ゴム製で下端開口部を有する中空状であり、その下端開口部がチューブ１１の連通孔１４に連結される。また、この連通孔１４には、蚤３が通過できない径のメッシュ網２１が設けられている。
【００１２】
このペット用蚤取り器は、次のようにして使用する。まず、中空吸引部２０を手２で握って収縮させ、チューブ１１の吸引口１２をペット１の毛に当てる。次に、手２の握りを緩めて、ゴム製である中空吸引部２０の弾性復帰力によって、吸引口１２から蚤３を外気と共に吸い込む。
【００１３】
これにより、吸い込んだ蚤３を溜め容器１３に集める。この際、連通孔１４には蚤３が通過できない径のメッシュ網２１を設けているので、蚤３は中空吸引部２０に吸い込まれることなく、確実に溜め容器１３に集められる。集められた蚤３は、溜め容器１３内の水Ｗによって死滅する。また、溜め容器１３に集めれられた蚤３は、当該溜め容器１３の下半部１３ｂを上半部１３ａから離脱して廃棄する。
【産業上の利用可能性】
【００１４】
大型化したときには、中空吸引部２０に代え、電池式・電動式エアーポンプを用いることも可能である。
【図面の簡単な説明】
【００１５】
【図１】本考案の実施形態に係るペット用蚤取り器を示す正面図である。
【図２】図１に示す蚤取り器の要部拡大一部断面正面図である。
【図３】図１に示す蚤取り器の要部拡大半断面正面図である。
【図４】図３のＡ−Ａ線視底面図である。
【符号の説明】
【００１６】
１        ペット
２        手
３        蚤
１０      吸取り部
１１      チューブ
１１ａ    終端開口部
１２      吸込口
１３      溜め容器
１３ａ    上半部
１３ｂ    下半部
１３ｃ    傾斜壁部
１３ｄ    螺合
１４      連通孔
１５      金属ネット
１５ａ    太目の鋼線
１６      補強筒
２０      中空吸引部
２１      メッシュ網
Ｗ        水
【図１】
0003101191.tif 000003
【図２】
0003101191.tif 000004
【図３】
0003101191.tif 000005
【図４】
0003101191.tif 000006